(57)【特許請求の範囲】
【請求項１】
窓の上部位置に取り付けられ、室内側障子および室外側障子のそれぞれを、バネ材の付勢力により力学的平衡関係を保ちながら吊持するようにした上げ下げ窓用ダブルバランサー装置であって、
前記ダブルバランサー装置は、支軸と、この支軸により回動自在に支持されるとともに、障子を吊持する吊索を巻き取っている巻取りドラムと、前記支軸と巻取りドラムとに夫々係止された渦巻きバネ部材とを備える渦巻きバネ式バランサー装置を上窓枠方向に縦列的に２つ備え、
一方側の渦巻きバネ式バランサー装置は吊索落下点が相対的に室内側となり、他方側の渦巻きバネ式バランサー装置は吊索落下点が相対的に室外側となるようにそれぞれのバランサー装置を平面視で反対向きに配向し、
窓縦枠側に近接する側の渦巻きバネ式バランサー装置側において吊索落下点の反対面側に滑車を配置し、相対的に窓内方側に位置する渦巻きバネ式バランサー装置から繰り出される吊索を前記滑車を介して落下させるようにしたことを特徴とする上げ下げ窓用バランサー装置。
【請求項２】
前記縦列配置された前記２つの渦巻きバネ式バランサー装置は共に、室内面側に渦巻きバネへの初期導入力調整部を有する請求項１記載の上げ下げ窓用ダブルバランサー装置。
【請求項３】
前記渦巻きバネへの初期導入力調整部の構造は、前記支軸に該支軸の回転と共に回転運動する計数用作動部材を設けるとともに、前記支軸の隣接位置に、周縁に前記計数用作動部材に係合する係合歯が形成されるとともに、前記初期導入力調整軸の巻き回数を計数する数字、文字または記号が表示された歯車状の計数用回転板を設け、前記支軸の回転に伴って前記計数用作動部材が前記計数用回転板に係合し、計数用回転板を回転させることにより前記初期導入力調整軸の巻き回数を計数可能とした構造である請求項２記載の上げ下げ窓用ダブルバランサー装置。
【請求項４】
前記縦列配置された前記２つの渦巻きバネ式バランサー装置は窓枠側への取付け部を備える基板に対し一体的に設けられている請求項１〜３いずれかに記載の上げ下げ窓用ダブルバランサー装置。
【発明の詳細な説明】
【０００１】
【発明の属する技術分野】
本発明は、窓の上部位置に取り付けられ、室内側障子および室外側障子のそれぞれを、バネ材の付勢力により力学的平衡関係を保ちながら吊持するようにした上げ下げ窓用ダブルバランサー装置に関する。
【０００２】
【従来の技術】
従来より、上下方向に開閉される可動障子を備えた上げ下げ窓では、前記可動障子を僅かな力で簡単に上下動させるようにするとともに、任意の開位置で停止可能とするために、前記可動障子の重量と力学的平衡関係を保つバランサー装置が用いられている。
【０００３】
この種のバランサー装置としては、たとえば渦巻きバネによる回転方向の付勢力を利用して障子を吊持しているワイヤを巻き取っている巻取りドラムに巻き上げ方向の力を与え障子重量と釣り合う平衡力を作用させるようにした渦巻きバネ式バランサー装置が知られている。
【０００４】
前記渦巻きバネ式バランサー装置が取り付けられる上げ下げ窓では、一般に室外側障子を嵌め殺しとするとともに、室内側障子を可動障子とし、前記渦巻きバネ式バランサー装置を前記室内側障子側にのみ取り付けられたものが多く存在するが、室外側障子についても同様に可動障子とし、別途前記渦巻きバネ式バランサー装置を室外側障子側に取り付けるようにしたものもある。
【０００５】
【発明が解決しようとする課題】
しかしながら、室内側障子の上部と室外側障子の上部とにそれぞれ渦巻きバネ式バランサー装置を取り付ける場合には、室内側障子用渦巻きバネ式バランサー装置と室外側障子用渦巻きバネ式バランサー装置とを室内外方向に位置をずらしながら、かつ初期導入力の調整のために相互に重ならないように設置しなければならず、設置に必要な見込み寸法幅が大きくなる問題があるとともに、極力見込み寸法幅を小さくするために近接して配置するため吊索同士が干渉することがあるなどの問題があった。また、取付けに際しても内側障子と外側障子とをそれぞれ別々に行わなければならず２度手間となっていた。
【０００６】
そこで本発明の第１の課題は、上げ下げ窓用ダブルバランサー装置を構成する２つのバランサー装置を上窓枠方向に縦列的に配置することを可能とし、かつ吊索の干渉を無くすことにある。
【０００７】
第２の課題は、上げ下げ窓用ダブルバランサー装置の初期導入力の調整を共に室内側から行えるようにすることにある。
【０００８】
第３の課題は、窓枠への取付けを１回の手間で行うことのできるようにすることにある。
【０００９】
【課題を解決するための手段】
前記第１課題を解決するための請求項１に係る本発明として、窓の上部位置に取り付けられ、室内側障子および室外側障子のそれぞれを、バネ材の付勢力により力学的平衡関係を保ちながら吊持するようにした上げ下げ窓用ダブルバランサー装置であって、
前記ダブルバランサー装置は、支軸と、この支軸により回動自在に支持されるとともに、障子を吊持する吊索を巻き取っている巻取りドラムと、前記支軸と巻取りドラムとに夫々係止された渦巻きバネ部材とを備える渦巻きバネ式バランサー装置を上窓枠方向に縦列的に２つ備え、
一方側の渦巻きバネ式バランサー装置は吊索落下点が相対的に室内側となり、他方側の渦巻きバネ式バランサー装置は吊索落下点が相対的に室外側となるようにそれぞれのバランサー装置を平面視で反対向きに配向し、
窓縦枠側に近接する側の渦巻きバネ式バランサー装置側において吊索落下点の反対面側に滑車を配置し、相対的に窓内方側に位置する渦巻きバネ式バランサー装置から繰り出される吊索を前記滑車を介して落下させるようにしたことを特徴とする上げ下げ窓用バランサー装置が提供される。
【００１０】
前記第２課題を解決するために請求項２に係る本発明として、前記縦列配置された前記２つの渦巻きバネ式バランサー装置は共に、室内面側に渦巻きバネへの初期導入力調整部を有する請求項１記載の上げ下げ窓用ダブルバランサー装置が提供される。
【００１１】
請求項３に係る本発明として、前記渦巻きバネへの初期導入力調整部の構造は、前記支軸に該支軸の回転と共に回転運動する計数用作動部材を設けるとともに、前記支軸の隣接位置に、周縁に前記計数用作動部材に係合する係合歯が形成されるとともに、前記初期導入力調整軸の巻き回数を計数する数字、文字または記号が表示された歯車状の計数用回転板を設け、前記支軸の回転に伴って前記計数用作動部材が前記計数用回転板に係合し、計数用回転板を回転させることにより前記初期導入力調整軸の巻き回数を計数可能とした構造である請求項２記載の上げ下げ窓用ダブルバランサー装置が提供される。
【００１２】
前記第３課題を解決するために請求項４に係る本発明として、前記縦列配置された前記２つの渦巻きバネ式バランサー装置は窓枠側への取付け部を備える基板に対し一体的に設けられている請求項１〜３いずれかに記載の上げ下げ窓用ダブルバランサー装置が提供される。
【００１３】
【発明の実施の形態】
以下、本発明の実施の形態について図面を参照しながら詳述する。
図１は本発明に係る上げ下げ窓用ダブルバランサー装置１を設置した上げ下げ窓の内観図であり、図２は本発明に係る上げ下げ窓用ダブルバランサー装置１の正面図であり、図３はその平面図、図４はその右側面図である。
【００１４】
前記上げ下げ窓用ダブルバランサー装置１（以下、単にダブルバランサーという。）は、図１に示されるように、窓の両側上部位置に夫々取り付けられ、室内側障子ＳＩおよび室外側障子ＳＯのそれぞれを、バネ材の付勢力により力学的平衡関係を保ちながら吊持するようにしたものである。具体的に、前記ダブルバランサー１は、２つの渦巻きバネ式バランサー装置２，３を上窓枠方向に縦列的に備え、渦巻きバネ式バランサー装置２からそれぞれ繰り出された吊りワイヤ７が室内側障子ＳＩに掛止されるとともに、渦巻きバネ式バランサー装置３からそれぞれ繰り出された吊りワイヤ２７が室外側障子ＳＯに掛止され、障子を力学的に平衡関係を保ちながら吊持するようになっている。
【００１５】
前記ダブルバランサー１は、図２〜４に示されるように、窓枠側への取付け部を備えるハウジングベース板４（基板）に対し、室内側障子を吊持する渦巻きバネ式バランサー２（以下、単に内バランサーという。）と、室外側障子を吊持する渦巻きバネ式バランサー３（以下、単に外バランサーという。）とが一体的に設けられている。
【００１６】
まず、相対的に窓縦枠側に配置されている前記内バランサー２は、バランサー本体収容空間を形成するために前記ハウジングベース板４に取り付けられる第１ハウジング板５と、これらハウジングベース板４および第１ハウジング板５によって支持された支軸６と、前記ハウジングベース板４および第１ハウジング板５によって挟まれた空間内に配設されるとともに、前記支軸６を回転軸として回転自在に支持され、内側障子を吊持している吊りワイヤ７を巻き取っているワイヤ巻取りドラム８と、前記支軸６に外嵌して配設されるとともに、内方端が前記支軸６に係止されるとともに、外方端が前記巻取りドラム８に掛止された渦巻きバネ９とから構成され、前記支軸６の回転調整により前記内側障子の重量と釣り合う上方向力を与えることができるようになっている。
【００１７】
以下、さらに前記内バランサー２について詳述すると、前記ハウジングベース板４は、窓枠に固定される第１ブラケット１１および第２ブラケット３０に対する取付け部を備える部材で、前記第１ハウジング板５は前記ハウジングベース板４の板面に対して離間させるために３本の脚部５ａ〜５ｃを備え、前記ハウジングベース板４に対して前記脚部５ａ〜５ｃの先端面が当接され、板面を平行的に対面させた状態で平ネジ１２，１２…にて連結されている。
【００１８】
前記ハウジングベース板４および第１ハウジング板５の略中央部には、板面に対して直交する方向に貫通され、前記ハウジングベース板４と第１ハウジング板５とに両端部がそれぞれ支持された状態で支軸６が回転自在に設けられている。
【００１９】
また、前記ハウジングベース板４と第１ハウジング板５とによって挟まれた空間内には、吊りワイヤ７を巻き取る溝が螺旋状に形成された巻取りドラム８が前記支軸６を回転軸として設けられているとともに、この巻取りドラム８に連設して一体的にバネケース１３が配設されている。このバネケース１３内には、内方端が前記支軸６に係止されるとともに、外方端が前記バネケース１３の内壁に掛止された渦巻きバネ９が内設されている。前記内バランサー２は、吊索落下点が相対的に室内側となるように、前記巻取りドラム８が室内側となるように配向されている。
【００２０】
一方、室内面側となる前記第１ハウジング板５の外面部には、図５に符号を付して詳細に示されるように、前記支軸６にラチェット車１４が一体的に固設されているとともに、軸１６によって揺動自在に支持されたクリック１５が設けられている。前記クリック１５は、前記ラチェット車１４側に向けてバネ１７によって付勢され、刃１５ａが前記ラチェット車１４の歯１４ａに係合し、支軸６を所定の巻き回数位置にて固定可能となっている。すなわち、上げ下げ窓Ｗの建付け時に、前記支軸６を前記渦巻きバネ９の巻き方向に回転し、所定の巻き回数位置にて前記支軸６に固定されたラチェット車１４に対してクリック１５を噛合させることにより、窓建付け時に内側障子ＳＩの重量と釣り合う上方向力を導入できるようになっている。
【００２１】
したがって、前記支軸６の回転操作により、内バランサー２の渦巻きバネ９に対し室内側障子ＳＩの重量と釣り合う付勢力を与えておくと、渦巻きバネ９による上方向付勢力は、室内側障子ＳＩが昇降位置にあっても室内側障子ＳＩの重量と釣り合うようになり、室内側障子ＳＩを任意の開位置で停止できるようになるとともに、上下方向に力が均衡しているため僅かの力で開閉操作できるようになる。
【００２２】
前記内バランサー２には、前記初期導入力の調整部と共に、前記支軸６の回転数を計数する計数機能を持たせるようにしてある。具体的には、図５に示されるように、前記支軸６に外嵌され、支軸６の回転に伴って回転すると共に、周縁に係合歯１４ａが形成された計数用間欠ギア部材１４を設けるとともに、前記支軸６の隣接位置に、軸２１によって第１ハウジング板５に回転自在に支持され、周縁に前記係数用間欠ギア部材１４が１回転周期毎に係合する係合歯２２ａ、２２ａ…が形成されるとともに、１係合毎に１歯分（歯ピッチ）だけ回転される従動歯車２２を設け、かつ前記係合歯２２ａ、２２ａ…に対して前記支軸６の巻き回数を計数する指標数字(1,3…)を表示するようにしてある。なお、前記従動歯車２２は振動等によって勝手に回動しないようにするのが望ましい。また、回転数の表示は、前記の数字以外に文字や記号などによって表示するようにしてもよいし、連番で表示するようにしてもよい。
【００２３】
他方、相対的に窓内方側に配置されている前記外バランサー３は、バランサー本体収容空間を形成するために前記ハウジングベース板４に取り付けられる第２ハウジング板２３と、これらハウジングベース板４および第２ハウジング板２３によって支持された支軸２４と、前記ハウジングベース板４および第２ハウジング板２３によって挟まれた空間内に配設されるとともに、前記支軸２４を回転軸として回転自在に支持され、内側障子を吊持している吊りワイヤ２７を巻き取っているワイヤ巻取りドラム２５と、前記支軸２４に外嵌して配設されるとともに、内方端が前記支軸２４に係止されるとともに、外方端が前記巻取りドラム２５に掛止された渦巻きバネ２６とから構成され、前記支軸２４の回転調整により前記内側障子の重量と釣り合う上方向力を与えることができるようになっている。これらバランサーの基本構成は前記内バランサー２と同様である。
【００２４】
しかし、図２に示されるように、吊索落下点が相対的に室外側となるように内バランサー２とは平面視で反対向きに配向してある。そして、前記内バランサー２部において、内バランサー２から繰り出される吊りワイヤ７の落下点とは反対側の面に、具体的にはハウジングベース板４の室外側の面に滑車１０を配置し、前記外バランサー３から繰り出された吊りワイヤ２７を前記滑車１０を介して落下させるようにしている。なお、前記滑車１０は、略コ字状断面を成す滑車ホルダー板１８の空間内に支軸１９により回動自在に支持されている。
【００２５】
また、本外バランサー３においては、室内面側となる前記ハウジングベース板４の室内側面に、ラチェット車１４およびクリック１５からなる初期導入力の調整部、および計数用間欠ギア部材１４および従動歯車２２からなる支軸２４の回転計数手段が配設されている。
【００２６】
他方、前記ダブルバランサー１の窓枠への取付けに当たっては、窓枠に対して予め第１ブラケット１１と第２ブラケット３０とを固定しておき、前記ハウジングベース板４の一方側端部に設けられた上下係止部４ａ、４ｂを前記第１ブラケット１１に夫々係合させるとともに、他方端側において前記第２ブラケット３０と第２ハウジング２３とをビス２９により連結するようにしている。
【００２７】
以上詳述したダブルバランサー１では、一方側の内バランサー２は吊索落下点が相対的に室内側となり、他方側の外バランサー３は吊索落下点が相対的に室外側となるようにそれぞれのバランサーを平面視で反対向きに配向したため、上窓枠方向に縦列的に配置することが可能となり、設置に必要な見込み寸法幅を小さくできるようになる。また、窓縦枠側に近接する内バランサー２において吊索落下点の反対面側に滑車１０を配置し、窓内方側に位置する外バランサー３から繰り出される吊りワイヤ２７を前記滑車１０を介して落下させるようにしたため、各吊りワイヤ７，２７の干渉も防止できるようになる。
【００２８】
さらに、各バランサーの配向に関係なく、室内面側に渦巻きバネへの初期導入力調整部を配置したため、各バランサーの導入力調整を室内側から調整できるようになる。各バランサーの取付けに当たり、それぞれのバランサーを各々別々に取り付けることも可能であるが、各バランサーを窓枠側への取付け部を備えるハウジングベース板４に対し一体的に設け、このハウジングベース板４を窓枠に取り付けるようにしたため、取付け手間も１回で済むようになる。
【００２９】
【発明の効果】
以上詳説のとおり請求項１記載の本発明によれば、ダブルバランサー装置を構成する２つのバランサー装置を上窓枠方向に縦列的に配置することが可能になるとともに、吊索の干渉を防止することができるようになる。
【００３０】
また、請求項２、３記載の本発明によれば、２つのバランサー装置の初期導入力の調整を共に室内側から行えるようになる。
【００３１】
さらに請求項４記載の発明によれば、窓枠への取付けを１回の手間で行うことができるようになる。
【図面の簡単な説明】
【図１】本発明に係る上げ下げ窓用ダブルバランサー装置１を設置した上げ下げ窓の内観図である。
【図２】本発明に係る上げ下げ窓用ダブルバランサー装置１の正面図である。
【図３】その平面図である。
【図４】その右側面図である。
【図５】初期導入力調整部および支軸回転計数手段部分を示す正面図である。
【符号の説明】
１…ダブルバランサー装置、２…内バランサー、３…外バランサー、４…ハウジングベース板、５…第１ハウジング板、６・２４…支軸、７・２７…吊りワイヤ、８・２５…ワイヤ巻取りドラム、９・２６…渦巻きバネ、１０…滑車、１２…平ネジ、１３…バネケース、１４…ラチェット車、１５…クリック、１７…バネ、２１…軸、２２…従動歯車、２２ａ…係合歯、２３…第２ハウジング板
【図１】
0003697405.tif 000002
【図２】
0003697405.tif 000003
【図３】
0003697405.tif 000004
【図４】
0003697405.tif 000005
【図５】
0003697405.tif 000006